(57)【要約】【課題】操作者が親機を呼び出す際に操作しやすいインターホンの子機を提供する。【解決手段】操作者は、ベースボディの全体を被覆する押しボタンとして作用する被覆部材１０の一部が、バネの付勢力によってベースボディ２０の表面から離隔している第２位置から、被覆部材１０のいずれの一部がベースボディ２０との距離が小さくなる第１位置まで被覆部材１０を押圧する。被覆部材１０が第２位置から第１位置までの移動により、被覆部材１０が押圧棒２１を押圧する。これに伴い、押圧棒２１がスイッチ５を押圧し、親機との接続が確立されるため、スピーカー３及びマイク４を介して親機と通話を行うことができる。【選択図】図２
2010062693.tif 000002
【特許請求の範囲】
【請求項１】
ベースボディと、
前記ベースボディの全体を被覆すると共に、第１位置と、少なくとも一部が前記第１位置におけるよりも前記ベースボディから離れた第２位置との間を移動可能な、押しボタンとして作用する被覆部材と、
音声を出力するためのスピーカーと、
音声を入力するためのマイクロホンとを備えており、
前記被覆部材は、前記被覆部材の前記少なくとも一部を前記ベースボディから離れる方向に付勢する弾性部材を有しており、前記第２位置から前記第１位置へ向かう方向に移動するとき、前記弾性部材による付勢力に抗して移動し、
前記被覆部材が前記第２位置から前記第１位置まで移動することによって親機を呼び出すことを特徴とするインターホンの子機。
【請求項２】
前記被覆部材は、前記第２位置に位置するときには、前記被覆部材のいずれの部分においても前記ベースボディとの距離が等しくなると共に、前記第１位置に位置するときには、前記被覆部材の前記一部において前記第２位置におけるよりも前記ベースボディとの距離が小さくなるように、揺動軸を中心に揺動することを特徴とする請求項１に記載のインターホンの子機。
【請求項３】
前記ベースボディに対して前記被覆部材とは反対側に配置されて、前記親機を呼び出すトリガとなるスイッチをさらに備えており、
前記ベースボディは、前記被覆部材に被覆された部分に形成された孔、及び、前記孔内に挿入された押圧棒を有しており、
前記第２位置から前記第１位置まで移動した前記被覆部材が前記押圧棒を押圧することによって、前記スイッチが前記押圧棒に押圧されることを特徴とする請求項１又は２に記載のインターホンの子機。
【請求項４】
前記スピーカー及び前記マイクロホンは、前記ベースボディに対して前記被覆部材とは反対側に配置されており、
前記被覆部材及び前記ベースボディはそれぞれ、前記スピーカーから出力された音声を通過させるための開口及び前記マイクロホンに入力する音声を通過させるための開口を有しており、
前記ベースボディには、前記開口それぞれの周囲を取り囲むように包囲壁が形成されていることを特徴とする請求項１〜３のいずれか一項に記載のインターホンの子機。
【請求項５】
前記ベースボディは、前記被覆部材との対向面に、前記第２位置から前記第１位置へ向かう方向に直交する方向に開口した凹部を有する突起部が形成されており、
前記被覆部材は、前記第２位置から前記第１位置へ向かう方向に直交する方向に突出した突出片が設けられており、
前記突出片は、前記突起部の前記凹部に挿入されていると共に、前記被覆部材が前記第２位置と前記第１位置との間を移動するのに伴って前記凹部内を移動することを特徴とする請求項１〜４のいずれか１項に記載のインターホンの子機。
【発明の詳細な説明】
【技術分野】
【０００１】
本発明は、親機と子機との間で音声信号などを送受信することによって通話を可能とするインターホンの子機に関する。
【背景技術】
【０００２】
従来のインターホンの子機として、特許文献１に開示されているようなものがある。特許文献１に記載のインターホンの子機（ドアホン）は、カメラ部としてのドアホンカメラ、白色発光ダイオード内蔵部、マイク、スピーカ、呼出ボタン、子機使用中ランプなどを有しており、訪問者が呼出ボタンを押すことで、呼出信号を親機へ発し、親機との通話が可能となる。
【０００３】
【特許文献１】特開２００３−１９８７３９
【発明の開示】
【発明が解決しようとする課題】
【０００４】
しかしながら、上述の親機を呼び出すための子機の呼出ボタンは、子機全体の大きさに対してサイズが小さいため、訪問者にとって押しにくいという問題点があった。特に、視覚障害者などの身体的障害者や高齢者にとって、サイズの小さい呼出ボタンは使いにくいものとなっていた。
【０００５】
本発明の目的は、操作者が親機を呼び出す際に操作しやすいインターホンの子機を提供することである。
【課題を解決するための手段】
【０００６】
本発明のインターホンの子機は、ベースボディと、前記ベースボディの全体を被覆すると共に、第１位置と、少なくとも一部が前記第１位置におけるよりも前記ベースボディから離れた第２位置との間を移動可能な被覆部材と、前記ベースボディ及び前記被覆部材の間に介在していると共に、前記被覆部材の前記少なくとも一部を前記ベースボディから離れる方向に付勢する弾性部材と音声を出力するためのスピーカーと、音声を入力するためのマイクロホンとを備えており、前記被覆部材は、前記第２位置から前記第１位置へ向かう方向に移動するとき、前記弾性部材による付勢力に抗して移動し、前記被覆部材が前記第２位置から前記第１位置まで移動することによって親機を呼び出すことを特徴としている。
【０００７】
上記の構成によると、被覆部材はベースボディの全体を被覆しており、子機全体の大きさとほぼ同じ大きさを有するため、操作者は被覆部材を押しやすい。従って、操作者が押しやすい構成を有する被覆部材を第２位置から第１位置まで押圧することによって、容易に親機を呼び出すことが可能である。
【０００８】
また、前記被覆部材は、前記第２位置に位置するときには、前記被覆部材のいずれの部分においても前記ベースボディとの距離が等しくなると共に、前記第１位置に位置するときには、前記被覆部材の前記一部において前記第２位置におけるよりも前記ベースボディとの距離が小さくなるように、揺動軸を中心に揺動することが望ましい。
【０００９】
また、本発明のインターホンの子機は、前記ベースボディに対して前記被覆部材とは反対側に配置されて、前記親機を呼び出すトリガとなるスイッチをさらに備えており、前記ベースボディは、前記被覆部材に被覆された部分に形成された孔、及び、前記孔内に挿入された押圧棒を有しており、前記第２位置から前記第１位置まで移動した前記被覆部材が前記押圧棒を押圧することによって、前記スイッチが前記押圧棒に押圧されることが望ましい。
【００１０】
上記の構成のように、ベースボディに対して被覆部材とは反対側に配置されて、親機を呼び出すトリガとなるスイッチを備えており、低コストのスイッチの使用が可能であるとともに、スイッチを押圧する押圧棒をベースボディに形成した孔内に挿入して設けることによって、ベースボディ内への防水構造が容易に行える。
【００１１】
また、前記スピーカー及び前記マイクロホンは、前記ベースボディに対して前記被覆部材とは反対側に配置されており、前記被覆部材及び前記ベースボディはそれぞれ、前記スピーカーから出力された音声を通過させるための開口及び前記マイクロホンに入力する音声を通過させるための開口を有しており、前記ベースボディには、前記開口それぞれの周囲を取り囲むように包囲壁が形成されていることが望ましい。
【００１２】
上記の構成によると、ベースボディと被覆部材の隙間から雨が侵入し、当該雨がベースボディの被覆部材との対向面の表面を伝って流れ込んだとしても、これらの包囲壁によってベースボディの開口内に雨が侵入する事態を防止することができる。従って、ベースボディに対して被覆部材とは反対側に配置されたスピーカー及びマイクロホンに雨が流れ込み、故障する事態を防止することができる。
【００１３】
また、前記ベースボディは、前記被覆部材との対向面に、前記第２位置から前記第１位置へ向かう方向に直交する方向に開口した穴を有する突起部が形成されており、前記被覆部材は、前記第２位置から前記第１位置へ向かう方向に直交する方向に突出した突出片が設けられており、前記突出片は、前記突起部の前記穴に挿入されていると共に、前記被覆部材が前記第２位置と前記第１位置との間を移動するのに伴って前記穴内を移動することが望ましい。
【００１４】
上記の構成によると、ベースボディに形成された突起部の穴における第２位置から第１位置へ向かう方向に関する幅によって、突出片が移動する範囲を限定することができる。従って、被覆部材が押しやすくなるように、突出片が移動する範囲及びそれに伴う被覆部材の移動範囲を限定することができる。
【発明を実施するための最良の形態】
【００１５】
本発明の好適な一実施の形態を、図１〜図７に基づいて以下に説明する。図１は、本発明の一実施形態に係るインターホンの子機１の斜視図であり、図２は、子機１の分解斜視図である。
【００１６】
図１及び２に示すように、子機１は、押しボタンとして作用する被覆部材１０、ベースボディ２０、基板３０、裏蓋２、スピーカー３、マイクロホン４、及び、スイッチ５を備えている。図２に示すように、被覆部材１０は最も外側に配置されており、ベースボディ２０はその全体が被覆部材１０に被覆されるように配置されている。裏蓋２はベースボディの裏側全体を覆う蓋であり、一部に電池収納部２ａを形成している。基板３０は、ベースボディ２０に対して被覆部材１０とは反対側に配置されており、ベースボディ２０と裏蓋２との間に挟まれるように重ねられている。なお、本実施形態では、子機１における被覆部材１０が配置されている側を表側、裏蓋２が配置されている側を裏側と称する。
【００１７】
スピーカー３はベースボディ２０の裏面側からベースボディ２０に直接取り付けられる。マイク４、及び、スイッチ５は、基板３０上に設けられていると共に、基板３０に電気的に接続されている。基板３０は、図示しない親機を呼び出す、即ち、親機との接続状態を制御する回路を搭載しており、基板３０上のスイッチ５が押圧されると、親機との接続を無線で確立し、マイク４に入力された音声を音声信号として親機に送信すること、及び、親機から受信した音声信号を音声としてスピーカー３から出力することができる。つまり、スピーカー３及びマイク４を介して親機と通話を行うことができる。即ち、スイッチ５は、親機を呼び出すトリガとなっている。スイッチ５は、後述する押圧棒２１に押圧されるように配置されている。
【００１８】
裏蓋２は、図示しない電池を内部に収容する電池収容部２ａ及び電池収容部２ａから表側に突出した２つの電池端子２ｂを有している。端子２ｂは、基板３０と電気的に接続され電力を供給している。
【００１９】
次に、図３を参照して、ベースボディ２０の詳細について説明する。図３は、ベースボディ２０の表側を示した斜視図である。
【００２０】
ベースボディ２０は、平面視で略長方形形状を有しており、厚みを有している。ベースボディ２０の裏側には、基板３０及び裏蓋２を収容する図示しない凹部が形成されている。そして、壁等に取り付けた図示しないベース固定板に、ネジによってベースボディ２０を固定する。ここではベース固定板はベースボディ２０の凹部に隠れて配置される大きさとしている。
【００２１】
ベースボディ２０の表面には、その表面の略全域から十字型に突出した凸部２４が形成されている。凸部２４において、ベースボディ２０の長手方向に関する一端付近には、略半円状の窪み２６が形成されており、窪み２６内にはスリット状の開口２６ａが形成されている。この開口２６ａは、ベースボディ２０の裏側の凹部内に設置されたスピーカー３と対向する位置に形成されており、スピーカー３から出力された音声をベースボディ２０の表側まで通過させることができる。また窪み２６内には、開口２６ａの周囲を取り囲むように突出した短円筒形の包囲壁２６ｂが形成されている。
【００２２】
また、凸部２４において、ベースボディ２０の長手方向に関する他端付近にも、略半円状の窪み２７が形成されており、窪み２７内にはスリット状の開口２７ａが形成されている。この開口２７ａは、ベースボディ２０の裏側の凹部内に収容された基板３０上のマイク４と対向する位置に形成されており、マイク４に入力する音声を通過させることができる。即ち、開口２７ａは、子機１外部から後述する被覆部材１０の開口１２を通過した音声をベースボディ２０の裏側まで通過させることができる。また、窪み２７内には、開口２７ａの周囲を取り囲むように突出した短円筒形の包囲壁２７ｂが形成されている。ここで、包囲壁２６ｂ及び包囲壁２７ｂは、ベースボディ２０の幅方向中央に、長手方向に沿って位置するように形成されている。
【００２３】
凸部２４において、包囲壁２６ｂと包囲壁２７ｂとの間には、スイッチ５と対向する位置に押圧棒用穴２９が形成されている。また、凸部２４には、押圧棒用穴２９の周囲を取り囲むように突出した短円筒形の包囲壁２９ａ、２９ｂが形成されている。包囲壁２９ｂは、包囲壁２６ｂ及び包囲壁２７ｂと同様の機能を有している。なお、内側の包囲壁２９ａは後述する被覆部材１０の裏側に形成した十字型の押圧突起１５の当たり止めである。
【００２４】
また、凸部２４は、押圧棒用穴２９内に挿入された押圧棒２１を有している。即ち、押圧棒２１は、ベースボディ２０の凸部２４を貫通しており、ベースボディ２０の裏側に突出している。押圧棒２１は、被覆部材１０が後述する第２位置に位置するときには、その突出した先端がスイッチ５を押圧せず、親機との接続が遮断された状態となっている。被覆部材１０が後述する第２位置から第１位置の方向に移動すると、後述する被覆部材１０の押圧突起１５に押圧されることによってスイッチ５を押圧し、親機との接続が確立される。
【００２５】
さらに、ベースボディ２０の表面において、ベースボディ２０の長手方向に関する包囲壁２６ｂに近い方の端部付近であって凸部２４が形成されていない部分には、Ｕ字型揺動部材２２が配置されている。Ｕ字型揺動部材２２は、Ｕ字の底部がベースボディ２０の当該端部の縁の略全長に沿って延在するように配置されている。そして、Ｕ字型揺動部材２２の両端部にはそれぞれ、ベースボディ２０の幅方向外側に突出した突起２２ａが形成されており、突起２２ａが後述する被覆部材１０の支持突起１７の凹み部分１７ａに嵌合されている。さらに、Ｕ字型揺動部材２２の両端部は、図示しないネジによってベースボディ２０の裏側から裏蓋２とともに固定される。２つの突起２２ａの中心を結ぶ線が、後述するように被覆部材１０が揺動する際の揺動軸となっている。
【００２６】
また、ベースボディ２０の表面において、ベースボディ２０の長手方向の他端付近であって凸部２４が形成されていない部分には、当該他端の縁に沿って２つの突起部２３が形成されている。これらの突起部２３は、ベースボディ２０の幅方向中央に関して対称に位置している。また、突起部２３は四角柱形状を有しており、後述する第２位置から第１位置へ向かう方向に直交し外側に向かう方向に開口した凹部２３ａをそれぞれ有している。
【００２７】
また、ベースボディ２０の表面において、凸部２４が形成されていない部分であってベースボディ２０の幅方向に関して２つの突起部２３を挟む位置にはそれぞれ、２つのバネ受け部２５が形成されている。バネ受け部２５は包囲壁２８及び複数のリブ２５ａより構成される。各位置において、２つのバネ受け部２５の付近には、ベースボディ２０の長手方向の他端外方に開く逆Ｕ字状の包囲壁２８、外方に開く部分には複数のリブ２５ａがそれぞれ形成されている。包囲壁２８は、包囲壁２６ｂ、包囲壁２７ｂ、及び、包囲壁２９ｂと同様の機能を有している。リブ２５ａはバネ受け部２５に水が溜まることを防止するとともにバネの抜け止めを果たすものである。そして、ベースボディ２０の表面において包囲壁２８及びリブ２５ａに囲まれたバネ受け部２５に、後述する被覆部材１０のコイルバネ１６が当接している。
【００２８】
次に、図４及び図５を参照して、被覆部材１０の詳細について説明する。図４は被覆部材１０の表側を示した斜視図であって、図５は被覆部材１０の裏側を示した斜視図である。被覆部材１０は、平面視で略長方形形状を有してベースボディ２０の全体を覆い、図５に示すように、裏側にはベースボディ２０の凸部２４にほぼ対応してこれを収納する凹部１４を形成している。また、凹部１４を画定する４つの側壁は、押しボタンとして作用する被覆部材１０の強度増加の点等でも有効である。
【００２９】
被覆部材１０の表面において、ベースボディ２０の開口２６ａと対向する位置には、スリット状の開口１１が形成されている。開口１１は、スピーカー３から出力された音声、より具体的には、スピーカー３から出力され開口２６ａを通過した音声を、被覆部材１０の表側まで通過させることができる。また、被覆部材１０の表面において、ベースボディ２０の開口２７ａと対向する位置には、スリット状の開口１２が形成されている。この開口１２は、マイク４に入力する音声を子機１の外部から通過させることができる。より具体的には、開口１２は、子機１の外部からの音声を被覆部材１０の裏側まで通過させることが可能であり、当該音声がさらに開口２７ａを介してベースボディ２０の表側から裏側まで通過することによって、マイク４に入力される。なお、被覆部材１０の各スリットは、雨の進入防止のため、ベースボディ２０の各開口２６ａ，２７ａのスリットと互い違いになるように形成するのが好ましい。
【００３０】
上述したように、被覆部材１０の裏側には凹部１４が形成されている。被覆部材１０の裏側の表面、即ち、凹部１４を画定する底面１４ａには、開口１１と開口１２との間に、十字型の押圧突起１５が設けられている。押圧突起１５は、被覆部材１０が後述する第２位置から第１位置まで移動すると、押圧棒２１を押圧する。
【００３１】
また、底面１４ａにおいて、被覆部材１０の長手方向に関する開口１２に近い方の一端付近には、被覆部材１０の幅方向の両端に、環状に突出したバネ収容部１３がそれぞれ形成されている。これらのバネ収容部１３はそれぞれ、内部にコイルバネ１６を収容している。即ち、バネ収容部１３は、内部が凹んだ形状となっており、その凹み部分にバネ１６の端部を収容している。バネ１６は、圧縮されているときに、上述したように、バネ１６の他端が、ベースボディ２０の表面であってバネ受け部２５に当接していることによって、被覆部材１０をベースボディ２０から離れる方向に付勢している。
【００３２】
凹部１４を画定する４つの側面１４ｂのうち被覆部材１０の幅方向の両端に位置する２つの側面１４ｂには、支持突起１７がそれぞれ設けられている。これらの支持突起１７は、これらの側面１４ｂにおける長手方向に関するバネ１６から遠い方の端部付近にそれぞれ位置している。また、これらの支持突起１７は、内部が環状に凹んだ形状となっており、図５の破線で示すように、その凹み部分１７ａにＵ字型揺動部材２２の突起２２ａがそれぞれ嵌合することによって、被覆部材１０が揺動軸を中心に揺動可能に支持されている。
【００３３】
さらに、他の２つの側面１４ｂのうち、バネ１６に近い方の側面１４ｂには、ベースボディ２０の突起部２３の凹部２３ａ内にそれぞれ挿入される２つの突出片１８が形成されている。突出片１８は、この側面１４ｂにおける底面１４ａから最も遠い縁から、後述する第２位置から第１位置へ向かう方向に直交し内側に向かう方向に突出している。突出片１８は、被覆部材１０が後述する第２位置と第１位置との間を移動するのに伴って凹部２３ａ内を移動する。このように、被覆部材１０が押しやすくなるように、突出片１８が移動する範囲及びそれに伴う被覆部材１０の移動範囲を限定している。なお、本実施形態において、被覆部材１０の一方端において、支持突起１７の凹み部分１７ａにＵ字型揺動部材２２の突起２２ａを嵌合することによって被覆部材１０が揺動軸を中心に揺動可能に支持している。被覆部材１０の他端に形成された突起片１８は、ベースボディ２０の突起部２３の凹部２３aに挿入されることにより、被覆部材１０の他端をベースボディ２０から離れないようにして取り付ける役目も果たしている。
【００３４】
次に、図６及び図７を参照し、子機１の操作例を説明する。図６は、押しボタンとして作用する被覆部材１０が指で押圧される前の様子を示した図であって、図７は、被覆部材１０が指で押圧されたときの様子を示した図である。
【００３５】
図６に示すように、被覆部材１０は、押圧されていない状態のとき、被覆部材１０の裏側に配置されたバネ１６の付勢力によって、ベースボディ２０から離れる方向に付勢されている。このとき、被覆部材１０の長手方向一端付近は、Ｕ字型揺動部材２２の両端がベースボディ２０に固定されていると共に、Ｕ字型揺動部材２２の突起２２ａが被覆部材１０の支持突起１７の凹み部分１７ａに嵌合され、被覆部材１０が揺動軸を中心に揺動可能に支持されているため、ベースボディ２０から実質的に離隔することがない。一方、被覆部材１０における長手方向他端付近は、被覆部材１０の突出片１８がベースボディ２０の突起部２３の凹部２３ａで規制され、該凹部２３ａ内において、突起部２３の先端に最も近い位置に当接している。このときの被覆部材１０の位置を、第２位置と称する。第２位置では、この実施形態において、被覆部材１０の裏面のいずれの部分においてもベースボディ２０との距離が等しくなっている。
【００３６】
そして子機１の操作者は、図示しない親機を呼び出し通話するために、図７に示すように、突起部２３の凹部２３ａ内において突出片１８がベースボディ２０の表面に当接する方向に、被覆部材１０を押圧する。押圧は突出片１８がベースボディ２０の表面に当接するまで可能であり、この当接したときの被覆部材１０の位置を第１位置と称する。すなわち、被覆部材１０の押圧により、被覆部材１０は少なくとも一部において、第２位置におけるよりも前記ベースボディ２０との距離が小さくなるように揺動することになる。
【００３７】
被覆部材１０は、このような第２位置から第１位置へ向かう方向に移動するとき、バネ１６による付勢力に抗して移動すると共に、揺動軸であるＵ字型揺動部材２２を中心に揺動する。
【００３８】
そして、被覆部材１０が第２位置から第１位置の方向に移動すると、被覆部材１０の押圧突起１５が押圧棒２１を押圧する。これに伴い、押圧棒２１がスイッチ５を押圧し、親機との接続が確立されるため、スピーカー３及びマイク４を介して親機と通話を行うことができる。
【００３９】
以上説明した本実施形態によれば、次のような効果が得られる。
【００４０】
被覆部材１０がベースボディ２０の全体を被覆しており、子機１全体の大きさとほぼ同じ大きさを有するため、操作者は被覆部材１０を押しやすい。従って、操作者が押しやすい構成を有する被覆部材１０を第２位置から第１位置まで押圧することによって、容易に親機を呼び出すことが可能である。
【００４１】
また、ベースボディ２０に対して被覆部材１０とは反対側に配置されて、親機を呼び出すトリガとなるスイッチ５を備えており、低コストのスイッチの使用が可能であるとともに、スイッチ５を押圧する押圧棒２１をベースボディ２０に形成した押圧棒用穴２９内に挿入して設けることによって、ベースボディ２０内への防水が容易に行える。
【００４２】
また、ベースボディ２０と被覆部材１０の隙間から雨が侵入し、ベースボディ２０の表面を伝って流れ込んだとしても、包囲壁２６ｂ、２７ｂまたは包囲壁２９ｂによってベースボディ２０の開口２６ａ、開口２７ａ又は押圧棒用穴２９内に雨が侵入する事態を防止することができる。従って、ベースボディ２０に対して被覆部材１０とは反対側に配置されたスピーカー３及びマイクロホン４又はスイッチ５に雨が流れ込み、故障する事態を防止することができる。
【００４３】
また、ベースボディ２０に形成された突起部２３の凹部２３ａにおける第２位置から第１位置へ向かう方向に関する幅によって、突出片１８が移動する範囲を限定することができる。従って、被覆部材１０が押しやすくなるように、突出片１８が移動する範囲及びそれに伴う被覆部材１０の移動範囲を限定することができる。
【００４４】
以上説明した実施形態は、本発明の実施形態の一例であり、本発明はこのような構成に限られない。
本実施形態では、被覆部材１０はベースボディ２０の凸部２４全体を覆う形状であるが、
被覆部材１０はこの形状に限らない。少なくとも平面視でベースボディ２０全体を覆う形状であればよい。例えば、平面視でベースボディ２０を覆う板状の被覆部材であってもよい。さらにベースボディ２０側面の一部又は全体まで覆う被覆部材であってもよい。
【００４５】
本実施形態では、揺動軸となるＵ字型揺動部材２２が、ベースボディ２０の表面において、ベースボディ２０の長手方向に関する包囲壁２６ｂに近い方の端部付近に配置されているが、Ｕ字型揺動部材２２の位置はこれに限られない。例えば、Ｕ字型揺動部材２２が配置されている場所と、突起部２３、バネ受け部２５、及び、包囲壁２８が配置されている場所とが逆であってもよい。
【００４６】
また本実施形態では、スピーカ３及びマイク４に対応して設けた開口２６ａ及び２７ａそれぞれの周囲を取り囲むように突出した短円筒形の包囲壁２６ｂ及び包囲壁２７ｂを設けているが、本発明は包囲壁２６ｂ及び包囲壁２７ｂを設けるものに限られない。
【００４７】
例えば、包囲壁２６ｂの代わりに、包囲壁２６ｂにおける上半分（図２において、ベースボディ２０の長手方向に関して外側半分）のみで構成されたものであってもよい。そのほか、ベースボディ２０の長手方向に関して開口２６ａよりも上側であって、ベースボディ２０の幅方向に関してこれら全ての開口２６ａに亘って、または、それぞれの開口２６ａに沿って延在するものを有する構成であれば、包囲壁２６ｂの代わりとして適応可能である。
【００４８】
また例えば、包囲壁２７ｂの代わりに、包囲壁２７ｂにおける上半分（図２において、ベースボディ２０の長手方向に関して内側半分）のみで構成されたものであってもよい。そのほか、ベースボディ２０の長手方向に関して開口２７ａよりも上側であって、ベースボディ２０の幅方向に関してこれら全ての開口２７ａに亘って、または、それぞれの開口２７ａに沿って延在するものを有する構成であれば、包囲壁２７ｂの代わりとして適応可能である。
【００４９】
また、子機１及び親機間の音声の送受信は、無線であっても有線であってもよい。また、突起部２３は、凹部２３ａの代わりに、第２方向から第１方向へ向かう方向に直交する方向に貫通した孔を有していてもよい。
【図面の簡単な説明】
【００５０】
【図１】本発明の一実施形態に係るインターホンの子機の斜視図である。
【図２】図１に示す子機の分解斜視図である。
【図３】図１に示す子機のベースボディの表側を示した斜視図である。
【図４】図１に示す子機の被覆部材の表側を示した斜視図である。
【図５】図１に示す子機の被覆部材の裏側を示した斜視図である。
【図６】本発明の一実施形態に係るインターホンの子機の操作例を示した図であって、被覆部材が指で押圧される前の様子である。
【図７】本発明の一実施形態に係るインターホンの子機の操作例を示した図であって、被覆部材が指で押圧されたときの様子である。
【符号の説明】
【００５１】
１  子機
３  スピーカー
４  マイクロホン
１０  被覆部材
１１  開口
１２  開口
１４  凹部
１６  バネ
１８  突出片
２０  ベースボディ
２１  押圧棒
２２  Ｕ字型揺動部材
２３  突起部
２３ａ  凹部
２４  凸部
２６ａ  開口
２６ｂ  包囲壁
２７ａ  開口
２７ｂ  包囲壁
３０  基板
【図１】
2010062693.tif 000003
【図２】
2010062693.tif 000004
【図３】
2010062693.tif 000005
【図４】
2010062693.tif 000006
【図５】
2010062693.tif 000007
【図６】
2010062693.tif 000008
【図７】
2010062693.tif 000009